(57)【要約】【課題】  新設柱を既存の横架材に強固に取り付けることのできる、木材の接合部品、木材の接合構造、及び木材の接合方法を提供する。【解決手段】  ２つの木材を接合する木材の接合部品であって、２つの木材（新設柱２０，梁１３）の双方に設けられた穴部（挿入穴１３ａ，収容穴２０ａ）に挿入可能な柱状の挿入体３１と、挿入体３１を穴部（挿入穴１３ａ，収容穴２０ａ）内で移動させる移動手段３８と、挿入体３１を２つの木材（新設柱２０，梁１３）の一方に仮固定する仮固定手段（仮固定孔３５，仮固定ピン３６）と、を備える。【選択図】図２
2019035192.tif 000002
【特許請求の範囲】
【請求項１】
２つの木材を接合する木材の接合部品であって、
前記２つの木材の双方に設けられた穴部に挿入可能な柱状の挿入体と、
前記挿入体を前記穴部内で移動させる移動手段と、
前記挿入体を前記２つの木材の一方に仮固定する仮固定手段と、を備える
ことを特徴とする、木材の接合部品。
【請求項２】
前記移動手段は、圧縮ばね又は膨張体である
ことを特徴とする、請求項１に記載の木材の接合部品。
【請求項３】
柱状の挿入体を使用した２つの木材を接合する木材の接合構造であって、
前記２つの木材の一方に、前記挿入体を突出させることなく収容可能な収容穴を設け、
前記２つの木材の他方に、前記挿入体の一部を挿入可能な挿入穴を設け、
前記挿入体を、前記収容穴と前記挿入穴に跨って配置させる
ことを特徴とする、木材の接合構造。
【請求項４】
前記２つの木材の一方と前記挿入体とを固定する第１固定手段と、
前記２つの木材の他方と前記挿入体とを固定する第２固定手段と、を有する
ことを特徴とする、請求項３に記載の木材の接合構造。
【請求項５】
柱状の挿入体を使用して２つの木材を接合する木材の接合方法であって、
前記２つの木材の一方に、前記挿入体を突出させることなく収容可能な収容穴を開け、前記２つの木材の他方に、前記挿入体の一部を挿入可能な挿入穴を開ける穴加工工程と、
前記挿入体を、前記収容穴に、前記挿入体が突出しない状態に収容する収容工程と、
前記２つの木材の一方と前記２つの木材の他方とを組み合わせるセット工程と、
前記挿入体を前記収容穴と前記挿入穴とに跨る位置に移動させる移動工程と、を含む
ことを特徴とする、木材の接合方法。
【発明の詳細な説明】
【技術分野】
【０００１】
本発明は、木材の接合部品、木材の接合構造、及び木材の接合方法に関するものである。
【背景技術】
【０００２】
従来、柱を梁や土台等の横架材に接合する方法として、柱の材端と、横架材の一側面と、に設けられたほぞ穴に、ほぞパイプを嵌合し、ほぞを形成して接合することが知られている（例えば、特許文献１参照）。
【先行技術文献】
【特許文献】
【０００３】
【特許文献１】特開２００３−２３２０８６号公報
【発明の概要】
【発明が解決しようとする課題】
【０００４】
しかしながら、特許文献１に記載された構成では、既存建物の補修や改築に際して、劣化した柱を交換したり、柱を追加したりする場合、横架材を一旦撤去しなければ、ほぞパイプをほぞ穴に差し込むことが困難となる。そのため、ほぞを形成して新設柱を既存の横架材に接合することができない、という問題がある。
【０００５】
そこで、本発明は、新設柱を既存の横架材に強固に取り付けることのできる、木材の接合部品、木材の接合構造、及び木材の接合方法を提供することを目的としている。
【課題を解決するための手段】
【０００６】
前記目的を達成するために、本発明の木材の接合部品は、２つの木材を接合する木材の接合部品であって、前記２つの木材の双方に設けられた穴部に挿入可能な柱状の挿入体と、前記挿入体を前記穴部内で移動させる移動手段と、前記挿入体を前記２つの木材の一方に仮固定する仮固定手段と、を備えることを特徴とする。
【０００７】
ここで、本発明の木材の接合部品は、前記移動手段を、圧縮ばね又は膨張体としても良い。
【０００８】
また、本発明の木材の接合構造は、柱状の挿入体を使用した２つの木材を接合する木材の接合構造であって、前記２つの木材の一方に、前記挿入体を突出させることなく収容可能な収容穴を設け、前記２つの木材の他方に、前記挿入体の一部を挿入可能な挿入穴を設け、前記挿入体を、前記収容穴と前記挿入穴に跨って配置させることを特徴とする。
【０００９】
また、本発明の木材の接合構造は、前記２つの木材の一方と前記挿入体とを固定する第１固定手段と、前記２つの木材の他方と前記挿入体とを固定する第２固定手段と、を有しても良い。
【００１０】
また、本発明の木材の接合方法は、柱状の挿入体を使用して２つの木材を接合する木材の接合方法であって、前記２つの木材の一方に、前記挿入体を突出させることなく収容可能な収容穴を開け、前記２つの木材の他方に、前記挿入体の一部を挿入可能な挿入穴を開ける穴加工工程と、前記挿入体を、前記収容穴に、前記挿入体が突出しない状態に収容する収容工程と、前記２つの木材の一方と前記２つの木材の他方とを組み合わせるセット工程と、前記挿入体を前記収容穴と前記挿入穴とに跨る位置に移動させる移動工程と、を含むことを特徴とする。
【発明の効果】
【００１１】
このように構成された本発明の木材の接合部品は、挿入体を２つの木材の双方に設けられた穴部に跨らせることができる。そのため、新設柱と、土台又は梁と、の間のせん断方向の応力に対して、木材でほぞを形成したときと同等以上に十分な耐力を発揮することができる。
【００１２】
また、本発明の木材の接合部品は、前記移動手段を、圧縮ばね又は膨張体とすることで、簡易な構成で、新設柱と、土台又は梁と、の間のせん断方向の応力に対して、十分な耐力を発揮することができる。
【００１３】
また、本発明の木材の接合構造は、挿入体を、収容穴と挿入穴に跨って配置させることで、新設柱と、土台又は梁と、の間のせん断方向の応力に対して、十分な耐力を発揮することができる。
【００１４】
また、本発明の木材の接合構造は、第１固定手段と第２固定手段と、を有することで、新設柱と、土台又は梁と、の間の引っ張り方向の応力に対して、十分な耐力を発揮することができる。
【００１５】
また、本発明の木材の接合方法は、既存の横架材を撤去することなく、挿入体を２つの木材の双方に設けられた穴部に跨らせることができる。そのため、新設柱と、土台又は梁と、の間のせん断方向の応力に対して、木材でほぞを形成したときと同等以上に十分な耐力を発揮することができる。
【図面の簡単な説明】
【００１６】
【図１】実施例１の木造建築物の一部の構成を示す斜視図である。
【図２】実施例１の接合部品の構成を示す構成図である。
【図３】実施例１の接合部品を用いた施工の流れを説明するフロー図である。
【図４】実施例１の穴加工工程を説明する説明図である。
【図５】実施例１の穴加工工程を説明する説明図である。
【図６】実施例１の収容工程を説明する説明図である。
【図７】実施例１のセット工程を説明する説明図である。
【図８】実施例１の移動工程を説明する説明図である。
【図９】比較例の接合部品を説明する説明図である。
【図１０】実施例２の固定工程を説明する説明図である。
【図１１】実施例３の接合部品の構成を示す構成図である。
【図１２】実施例３の接合部品を説明する説明図である。
【図１３】実施例３の接合部品を説明する説明図である。
【図１４】本発明の穴加工ジグを説明する説明図である。
【図１５】本発明の穴加工ジグを説明する説明図である。
【図１６】別の実施例の接合部品の構成を示す構成図である。
【発明を実施するための形態】
【００１７】
以下、本開示による木材の接合部品、木材の接合構造、及び木材の接合方法を実現する実施形態を、図面に示す実施例１〜実施例３に基づいて説明する。
【実施例１】
【００１８】
まず、構成を説明する。
実施例１における木材の接合部品、木材の接合構造、及び木材の接合方法は、木造建築物１の補修工事等において、新しい新設柱（木材の一例）２０を既存の横架材（木材の一例）に接合する場合に適用される。以下、実施例１の構成を、「木造建築物の構成」、「接合部品の構成」、「接合部品を用いた施工の流れ」に分けて説明する。
【００１９】
［木造建築物の構成］
図１は、実施例１の木造建築物の一部の構成を示す斜視図である。以下、図１に基づいて、実施例１の木造建築物の構成を説明する。
【００２０】
木造建築物１は、図１に示すように、基礎１０と、基礎１０に固定された横架材としての土台（木材の一例）１１と、土台１１に固定され、横方向に互いに間隔をあけて配置される複数の既存柱１２と、既存柱１２の上方端を固定する横架材としての梁（木材の一例）１３と、を備える。
【００２１】
このように構成された既存の木造建築物１に対して、新しく設けられる新設柱（木材の一例）２０が、後述する接合部品３０を用いて、基礎１０に固定された土台１１と、既存柱１２に固定された梁１３と、に固定される。新設柱２０は、土台１１の上面から梁１３の下面までの長さに加工されている。
【００２２】
［接合部品の構成］
図２は、実施例１の接合部品の構成を示す構成図である。以下、図２に基づいて、実施例１の接合部品の構成を説明する。
【００２３】
接合部品３０は、図２に示すように、挿入体３１と、移動手段３８と、を備える。挿入体３１は、挿入体本体３２と、折曲部３３と、凸部３４と、仮固定手段としての仮固定孔３５と、を有する。
【００２４】
挿入体３１は、金属製で、長手方向に長さＬ１を有する。挿入体本体３２は、柱状体としての円筒形状に形成される。なお、挿入体本体３２は、柱状体であればよく、直方体形状に形成された角パイプや、三角柱、六角柱等の多角柱形状であってもよい。
【００２５】
折曲部３３は、挿入体本体３２の長手方向の一方端に、挿入体本体３２の内径方向に折り曲げられて形成される。
【００２６】
凸部３４は、挿入体本体３２の長手方向で折曲部３３より手前に、挿入体本体３２から挿入体本体３２の内径方向に突出して形成される。折曲部３３と凸部３４との間に、後述する移動手段３８の一端が固定される。
【００２７】
仮固定孔３５は、挿入体本体３２の長手方向で凸部３４より手前であって、挿入体本体３２の周面に形成される貫通孔である。仮固定孔３５には、仮固定手段としての仮固定ピン３６が挿入可能となっている。仮固定ピン３６は、例えばビスやドラフトピンとする。
【００２８】
移動手段３８は、付勢手段としての圧縮ばねとする。移動手段３８は、長さＬ１より長い自然長Ｌ２を有する。移動手段３８は、圧縮力を与えることで、長さＬ１程度に圧縮可能とする。なお、移動手段３８は、圧縮バネに限定されず、挿入体を移動させることができるものであればよく、例えば吹き込まれた空気により膨らむ風船等の膨張体を使用しても良い。
【００２９】
［接合部品を用いた施工の流れ］
図３は、実施例１の接合部品を用いた施工の流れを説明するフロー図である。図４，５は、実施例１の穴加工工程を説明する説明図である。図６は、実施例１の収容工程を説明する説明図である。図７は、実施例１のセット工程を説明する説明図である。図８は、実施例１の移動工程を説明する説明図である。以下、図３〜図８に基づいて、実施例１の接合部品を用いた施工の流れを説明する。
【００３０】
なお、接合部品３０は、新設柱２０の長手方向の両端部に設けられるが、同様の構成である。そのため、新設柱２０の長手方向の上端部側（梁１３側）についてのみ説明し、新設柱２０の長手方向の下端部側（土台１１側）の説明については省略する。
【００３１】
接合部品を用いた施工は、「穴加工工程」、「収容工程」、「セット工程」、「移動工程」を経て行われる。
【００３２】
（穴加工工程）
穴加工工程（図３のステップＳ１）では、図４に示すように、電動ドリル等の加工具により、新設柱２０の両端面に、穴部としての収容穴２０ａを加工する。収容穴２０ａの深さＨ１は、挿入体３１の長さＬ１より大きく形成する。収容穴２０ａの内径は、挿入体３１が収容穴２０ａに収容可能なように、挿入体本体３２の外径より僅かに大きく形成する。
【００３３】
また、穴加工工程では、電動ドリル等の加工具により、新設柱２０の周面から収容穴２０ａに貫通する第１貫通孔２０ｂを加工する。第１貫通孔２０ｂは、仮固定ピン３６が挿入可能な程度の内径とする。
【００３４】
また、穴加工工程では、図５に示すように、電動ドリル等の加工具により、梁１３の下面に、穴部としての挿入穴１３ａを加工する。挿入穴１３ａの深さＨ２は、挿入体３１の長さＬ１の略半分の長さに形成する。挿入穴１３ａの内径は、挿入体３１が挿入穴１３ａに収容可能なように、挿入体本体３２の外径より僅かに大きく形成する。
【００３５】
（収容工程）
収容工程（図３のステップＳ２）では、図６に示すように、接合部品３０を新設柱２０の収容穴２０ａに収容する。新設柱２０の収容穴２０ａに収容された接合部品３０は、第１貫通孔２０ｂ及び仮固定孔３５を仮固定ピン３６が貫通することで、接合部品３０が収容穴２０ａの上面から突出しない状態で仮固定される。
【００３６】
接合部品３０が収容穴２０ａに収容された状態では、移動手段３８が圧縮され、挿入体３１が、挿入体３１の長手方向で、収容穴２０ａから突出する方向に付勢力を有することとなる。
【００３７】
なお、接合部品３０を新設柱２０の収容穴２０ａに収容する際に、折曲部３３を押圧する工具を使用しても良い。また、接合部品３０を新設柱２０の収容穴２０ａに収容する際に、移動手段３８の先端を収容穴２０ａの底部に固定しても良い。
【００３８】
また、接合部品３０の挿入体３１の折曲部３３には、第１目印Ｍ１がマーカによって付けられる（図１参照）。新設柱２０の先端には、第２目印Ｍ２がマーカによって付けられる（図１参照）。第１目印Ｍ１と、第２目印Ｍ２とによって、接合部品３０を新設柱２０の収容穴２０ａの適切な位置に収容する。
【００３９】
（セット工程）
セット工程（図３のステップＳ３）では、図７に示すように、新設柱２０を既存の木造建築物１の梁１３と土台１１の間にセットする。また、梁１３の側面には、第３目印Ｍ３がマーカによって付けられる。第２目印Ｍ２と、第３目印Ｍ３とによって、新設柱２０を、梁１３と土台１１の間の適切な位置にセットする。なお、各目印Ｍ１，Ｍ２，Ｍ３は、マーカによって形成される態様に限定されず、切削加工やテープ等によって形成されても良い。
【００４０】
（移動工程）
移動工程（図３のステップＳ４）では、図８に示すように、仮固定ピン３６を第１貫通孔２０ｂ及び仮固定孔３５から引き抜くことで、移動手段３８に与えられた付勢力が解放される。移動手段３８に与えられた付勢力が解放されると、挿入体３１が新設柱２０の収容穴２０ａから、梁１３の挿入穴１３ａに向かって移動する。即ち、移動手段３８は、挿入体３１を、収容穴２０ａと挿入穴１３ａの中で移動させる。折曲部３３が挿入穴１３ａの底面に当接することで、挿入体３１が停止する。即ち、移動手段３８は、挿入体３１を収容穴２０ａと挿入穴１３ａとに跨る位置に移動させる。
【００４１】
この状態では、挿入体３１は、挿入体３１の一部が挿入穴１３ａに挿入され、挿入体３１の一部が収容穴２０ａに挿入されている状態となる。即ち、挿入体３１は、挿入穴１３ａと収容穴２０ａに同時に嵌合する。この位置関係は、移動手段３８の付勢力によって維持される。
【００４２】
次に、作用を説明する。
実施例１の木材の接合部品、木材の接合構造、及び木材の接合方法における作用を説明する。
【００４３】
［比較作用］
例えば、新設柱を外付けの金物で固定する場合を比較例とする。
【００４４】
ところで、既存建物の補修や改築の際に、新しい柱を土台や梁に取り付ける場合、土台や梁は固定されている。そのため、土台や梁を一旦撤去しなければ、ほぞを形成して新しい柱を既存の土台や梁に取り付けることは困難となる。
【００４５】
比較例の場合、図９に示すように、新設柱９２０を、土台１１と梁１３に取り付けるにあたり、外付けの金物９３０を４つ使用する。各金物９３０は、新設柱９２０と、土台１１又は梁１３とのコーナーに配置され、４つのビス９３１によって、固定される。そのため、新設柱９２０と、土台１１又は梁１３と、の間で、土台１１と梁１３とで形成された仮想面に直交する面外方向の応力に対して、十分な耐力を有することができない。即ち、新設柱９２０と、土台１１又は梁１３と、の間のせん断方向の応力に対して、十分な耐力を有することができない、という課題がある。
【００４６】
これに対し、実施例１の木材の接合部品は、２つの木材（新設柱２０，梁１３）を接合する木材の接合部品３０であって、２つの木材（新設柱２０，梁１３）の双方に設けられた穴部（挿入穴１３ａ，収容穴２０ａ）に挿入可能な柱状の挿入体３１と、挿入体３１を穴部（挿入穴１３ａ，収容穴２０ａ）内で移動させる移動手段３８と、挿入体３１を２つの木材（新設柱２０，梁１３）の一方に仮固定する仮固定手段３５，３６と、を備える（図２）。
【００４７】
これにより、挿入体を２つの木材（新設柱２０，梁１３）の双方に設けられた穴部（挿入穴１３ａ，収容穴２０ａ）に跨らせることができる。そのため、ほぞを形成して新設柱２０を既存の土台１１又は梁１３に固定することができる。その結果、新設柱２０と、土台１１又は梁１３と、の間のせん断方向の応力に対して、木材でほぞを形成したときと同等以上に十分な耐力を発揮することができる。
【００４８】
実施例１の木材の接合部品は、移動手段３８を、圧縮ばね又は膨張体とする。これにより、移動手段３８を簡易な構成にすることができる。そのため、簡易な構成で、新設柱２０と、土台１１又は梁１３と、の間のせん断方向の応力に対して、十分な耐力を発揮することができる。
【００４９】
実施例１の木材の接合部品の挿入体３１を多角柱形状にした場合、接合部品３０を新設柱２０の収容穴２０ａの適切な位置に収容することができる。そのため、接合部品３０を収容穴２０ａに収容された状態で、容易に仮固定することができる。また、取り付けられた新設柱２０が、新設柱２０の軸方向に回転することを防止することができる。そのため、新設柱２０を適切な位置に固定し、接合強度を高めることができる。
【００５０】
実施例１の木材の接合構造は、柱状の挿入体３１を使用した２つの木材（新設柱２０，梁１３）を接合する木材の接合構造であって、２つの木材（新設柱２０，梁１３）の一方に、挿入体３１を突出させることなく収容可能な収容穴２０ａを設け、２つの木材（新設柱２０，梁１３）の他方に、挿入体３１の一部を挿入可能な挿入穴１３ａを設け、挿入体３１を、収容穴２０ａと挿入穴１３ａに跨って配置させる（図８）。
【００５１】
これにより、挿入体を２つの木材（新設柱２０，梁１３）の双方に設けられた穴部（挿入穴１３ａ，収容穴２０ａ）に跨らせることができる。そのため、ほぞを形成して新設柱２０を既存の土台１１又は梁１３に固定することができる。その結果、新設柱２０と、土台１１又は梁１３と、の間のせん断方向の応力に対して、木材でほぞを形成したときと同等以上に十分な耐力を発揮することができる。
【００５２】
比較例の場合、図９に示すように、複数のビス９３１を用いて新設柱９２０を固定する。そのため、新設柱９２０の取り付けに手間と時間がかかる、という課題がある。
【００５３】
これに対して、実施例１の木材の接合方法は、柱状の挿入体３１を使用して２つの木材（新設柱２０，梁１３）を接合する木材の接合方法であって、２つの木材（新設柱２０，梁１３）の一方に挿入体３１を突出させることなく収容可能な収容穴２０ａを開け、２つの木材（新設柱２０，梁１３）の他方に挿入体３１の一部を挿入可能な挿入穴１３ａを開ける穴加工工程と、接合部品３０を、収容穴２０ａに、挿入体３１が突出しない状態に収容する収容工程と、２つの木材（新設柱２０，梁１３）の一方と２つの木材（新設柱２０，梁１３）の他方とを組み合わせるセット工程と、挿入体３１を収容穴２０ａと挿入穴１３ａとに跨る位置に移動させる移動工程と、を含む（図３〜図８）。
【００５４】
これにより、既存の横架材を撤去することなく、挿入体３１を２つの木材（新設柱２０，梁１３）の双方に設けられた穴部（挿入穴１３ａ，収容穴２０ａ）に跨らせることができる。そのため、簡易な方法で、ほぞを形成して新設柱２０を既存の土台１１又は梁１３に固定することができる。その結果、簡易な方法で、新設柱２０と、土台１１又は梁１３と、の間のせん断方向の応力に対して、木材でほぞを形成したときと同等以上に十分な耐力を発揮することができる。
【実施例２】
【００５５】
まず、構成を説明する。
図１０は、実施例２の固定工程を説明する説明図である。なお、実施例１で説明した内容と同一乃至均等な部分の説明については、同一用語又は同一の符号を用いて説明する。
【００５６】
［接合部品の構成］
実施例２の接合部品は、固定手段を有する点で、実施例１の接合部品と異なる。接合部品１３０は、図１０に示すように、第１固定手段１４０と第２固定手段１５０を備える。
【００５７】
第１固定手段１４０は、第１固定孔１４１と第１固定ピン１４２とで構成される。第１固定孔１４１は、挿入体本体３２の長手方向で、折曲部１３３とは反対側の挿入体本体１３２の周面に形成される２つの貫通孔である。第１固定孔１４１には、第１固定ピン１４２が挿入可能となっている。第１固定ピン１４２は、例えばビスやドラフトピンとする。
【００５８】
第２固定手段１５０は、第２固定孔１５１と第２固定ピン１５２とで構成される。第２固定孔１５１は、挿入体本体１３２の長手方向で、折曲部１３３とは反対側の挿入体本体１３２の周面に形成される２つの貫通孔である。第２固定孔１５１には、第２固定ピン１５２が挿入可能となっている。第２固定ピン１５２は、例えばビスやドラフトピンとする。なお、実施例１の仮固定孔３５が、第２固定孔１５１を構成しても良い。また、実施例１の仮固定ピン３６が、第２固定ピン１５２を構成しても良い。
【００５９】
［接合部品を用いた施工の流れ］
実施例２の接合部品を用いた施工の流れは、固定工程を含む点で実施例１の接合部品を用いた施工の流れと異なる。
【００６０】
接合部品を用いた施工は、「穴加工工程」、「収容工程」、「セット工程」、「移動工程」、「固定工程」を経て行われる。
【００６１】
（固定工程）
固定工程では、図１０に示すように、第１固定ピン１４２を、新設柱２０の第１貫通孔２０ｂと第１固定孔１４１に貫通する。また、第２固定ピン１５２を、梁１３に加工された第２貫通孔１１３ｂと第２固定孔１５１に貫通する。即ち、第１固定手段１４０により、挿入体１３１が新設柱２０に固定され、第２固定手段１５０により、挿入体１３１が梁１３に固定される。
【００６２】
次に、作用を説明する。
実施例２の木材の接合構造は、２つの木材（新設柱２０，梁１３）の一方と挿入体３１とを固定する第１固定手段１４０と、２つの木材（新設柱２０，梁１３）の他方と挿入体３１とを固定する第２固定手段１５０と、を有する（図１０）。
【００６３】
これにより、挿入体１３１を介して、新設柱２０と、梁１３及び土台１１と、を離間させないようにすることができる。そのため、新設柱２０と、土台１１又は梁１３と、の間の引っ張り方向の応力に対して、十分な耐力を発揮することができる。
【００６４】
実施例２の木材の接合方法は、移動した挿入体３１を、２つの木材（新設柱２０，梁１３）の双方に固定する固定工程を含む。
【００６５】
これにより、簡易な方法で、挿入体１３１を介して、新設柱２０と、梁１３及び土台１１と、を離間させないようにすることができる。そのため、簡易な方法で、新設柱２０と、土台１１又は梁１３と、の間の引っ張り方向の応力に対して、十分な耐力を発揮することができる。なお、実施例２のこの他の構成及び作用効果については、実施例１と略同様であるため、説明を省略する。
【実施例３】
【００６６】
まず、構成を説明する。
図１１は、実施例３の固定工程を説明する説明図である。なお、実施例１で説明した内容と同一乃至均等な部分の説明については、同一用語又は同一の符号を用いて説明する。
【００６７】
接合部品２３０は、図１１に示すように、挿入体２３１と、移動手段２３８と、ベース部材２３９と、を備える。
【００６８】
挿入体２３１は、挿入体本体２３２と、蓋部材２３３と、を有する。挿入体本体２３２は、金属製であり、柱状体としての円筒形状に形成される。蓋部材２３３は、木製であり、円柱状に形成される。蓋部材２３３は、挿入体本体３２の長手方向の一方端に接着剤等により接着されて、挿入体本体３２の長手方向の一方端に蓋をする。蓋部材２３３は、後述するベース部材２３９を新設柱２０に固定するためのベース固定手段としてのベース固定ビス２３６ｂが挿通する大きさの挿通孔２３３ａを備える。
【００６９】
移動手段２３８は、付勢手段としての圧縮ばねとする。移動手段２３８の一端には、蓋部材２３３が接着剤等で固定される。移動手段２３８の他端には、ベース部材２３９が接着剤等で固定される。
【００７０】
ベース部材２３９は、木製であり、挿入体本体２３２の内周面に沿うように、円柱状に形成される。即ち、ベース部材２３９の外径は、挿入体本体２３２の内径と略同じ大きさに形成される。挿入体本体２３２は、ベース部材２３９の外周面にガイドされ、ベース部材２３９の長手方向に移動可能とする。ベース部材２３９の長手方向の端面には、ベース固定手段としてのベース固定ビス２３６ｂの下孔２３９ａを有する。下孔２３９ａを介してベース固定ビス２３６ｂを新設柱２０にねじ込むことで、ベース部材２３９を新設柱２０に固定する。
【００７１】
移動手段２３８が圧縮された状態の接合部品２３０の長手方向の長さは、収容穴２０ａの深さＨ１と略同じＬ１とする（図１２参照）。移動手段２３８が解放された状態の接合部品２３０の長手方向の長さは、収容穴２０ａの深さＨ１と挿入穴１３ａの深さＨ２との合計の長さと略同じＬ２とする（図１３参照）。
【００７２】
セット工程において、収容穴２０ａに新設柱２０を収容する際、図１２に示すように、まず、ベース固定ビス２３６ｂを接合部品２３０の挿通孔２３３ａに挿通し、下孔２３９ａを介して新設柱２０にねじ込むことで、ベース部材２３９を新設柱２０に固定する。
【００７３】
これにより、接合部品２３０を新設柱２０に固定することができる。そのため、接合部品２３０が新設柱２０から不意に飛び出すことを防止することができる。
【００７４】
新設柱２０の収容穴２０ａに収容された接合部品２３０は、仮固定手段としての仮固定ビス２３６ａを新設柱２０の側面から回し込み、挿入体２３１にねじ込む。これにより、接合部品２３０が収容穴２０ａの上面から突出しない状態で仮固定される。
【００７５】
移動工程では、図１３に示すように、仮固定ビス２３６ａを新設柱２０から引き抜くことで、移動手段３８は、挿入体２３１を収容穴２０ａと挿入穴１３ａとに跨る位置に移動させる。
【００７６】
この状態では、挿入体２３１は、挿入体２３１の一部が挿入穴１３ａに挿入され、挿入体２３１の一部が収容穴２０ａに挿入されている状態となる。即ち、挿入体２３１は、挿入穴１３ａと収容穴２０ａに同時に嵌合する。この位置関係は、移動手段２３８の付勢力によって維持される。
【００７７】
次に、作用を説明する。
実施例３の木材の接合部品は、筒状の挿入体２３１と、挿入体２３１の内周面に沿って形成されるベース部材２３９と、挿入体２３１を一方端に接続し、ベース部材２３９を他方端に接続する付勢手段を備える（図１１）。
【００７８】
これにより、挿入体３１を収容穴２０ａから挿入穴１３ａに滑らかに移動させることができる。そのため、新設柱２０を梁１３及び土台１１に接合する作業性を向上させることができる。また、実施例１に比べ、新設柱２０、梁１３及び土台１１の断面欠損を低減することができる。なお、実施例３のこの他の構成及び作用効果については、実施例１と略同様であるため、説明を省略する。
【００７９】
以上、本開示の収容容器用架台を実施例１〜３に基づき説明してきた。しかし、具体的な構成については、これらの実施例に限られるものではなく、特許請求の範囲の各請求項に係る発明の要旨を逸脱しない限り、各実施例の組み合わせ、設計の変更や追加等は許容される。
【００８０】
実施例１〜３では、挿入体を金属製又は木製とする例を示した。しかし、挿入体としては、金属製であっても、木製であっても、樹脂製であっても良い。
【００８１】
実施例１〜３では、移動手段を設ける例を示した。しかし、移動手段を設けなくても、自重で移動させる態様としても良い。
【００８２】
実施例１〜３では、収容穴２０ａを、新設柱２０に設け、挿入穴１３ａを、梁１３又は土台１１に設ける例を示した。しかし、収容穴を梁又は土台に設け、挿入穴を新設柱に設けても良い。
【００８３】
具体的には、例えば、実施例１の比較例のように、新設柱を外付けの金物で固定するとする。ところで、収容穴は、挿入穴に比べて、深く形成する必要がある。この場合、新設柱に、挿入穴より深い収容穴を設けると、金物を固定するビスをこの挿入穴を避けて固定するために、金物のサイズを大きくする必要がある。そのため、新設柱と、土台又は梁と、の間のせん断方向の応力に対して、十分な耐力を発揮することができない、という課題がある。
【００８４】
そこで、収容穴より浅い挿入穴を新設柱に設けることで、金物のサイズを小さくすることができる。そのため、新設柱と、土台又は梁と、の間のせん断方向の応力に対して、十分な耐力を発揮することができる。
【００８５】
実施例１〜３では、電動ドリル等の加工具により、新設柱２０、梁１３又は土台１１に、穴部としての収容穴２０ａを加工する例を示した。この穴加工においては、穴加工用ジグを使用することが好ましい。
【００８６】
具体的には、穴加工用ジグ６０は、図１４及び図１５に示すように、土台部材６１と、接続部６２と、で構成される。
【００８７】
新設柱２０は、規格品であり、新設柱２０の端面は、正方形を形成する。土台部材６１は、直方体であり、２つ備えられる。土台部材６１の長手方向の長さは、新設柱２０の端面の一方の対向辺間の距離に一致するように形成される。土台部材６１は、新設柱２０の端面の他方の対向辺が、土台部材６１の側面と一致するように配置される。即ち、２つの土台部材６１の外径は、新設柱２０の端面の外径と一致する。土台部材６１長手方向で中央部には、固定用穴６１ａが形成される。
【００８８】
接続部６２は、直方体であり、２つの土台部材６１の長手方向で中央部に、ボルトやビス等の締結具（不図示）によって、固定される。接続部６２の長手方向で中央部には、ガイド穴６２ａが形成される。接続部６２の長手方向で両端部には、固定用穴６２ｂが形成される。接続部６２の固定用穴６２ｂは、土台１１の固定用穴６１ａと軸線方向で一致するように形成される。
【００８９】
ドリル７０は、一般的なドリルであり、ドリル本体７１と、ドリルロッド７２と、ドリルヘッド７３と、から構成される。ドリルロッド７２及びドリルヘッド７３は、ドリル本体７１に着脱可能となっている。
【００９０】
まず、ドリルヘッド７３が接続されたドリルロッド７２を、穴加工用ジグ６０のガイド穴６２ａに挿入する。次いで、２つの土台部材６１の外径を、新設柱２０の端面の外径に一致させた状態で、穴加工用ジグ６０を、ビス等の締結具６３によって、固定用穴６２ｂ及び固定用穴６１ａを通して、新設柱２０に固定する。次いで、ドリル７０によって、新設柱２０に穴加工をして収容穴２０ａを形成する。次いで、穴加工用ジグ６０を取り外す。以上の工程を経て、穴加工がされる。
【００９１】
これにより、２つの土台部材６１の外径を、新設柱２０の端面の外径に一致させた状態で、穴加工を施すことができる。そのため、所望の位置に穴を形成することができる。また、ドリルロッド７２が、ガイド穴６２ａにガイドされて穴加工を施すことができる。そのため、削粉を気にすることなく、所望の方向に穴を形成することができる。なお、穴加工用ジグは、柱の端面に穴を加工する際に使用する例を示したが、柱の側面に穴を加工する際にも使用することもできる。また、穴加工用ジグは、金属製や樹脂製のものに穴加工を施す際に使用することができる。
【００９２】
実施例１〜３では、挿入体を円筒形状で形成する例を示した。しかし、挿入体としては、図１６に示すように、実施例１の折曲部３３の替わりに、円筒形状の一方をカバーするカバー部３３Ａを設けても良い。この場合、移動手段として、吹き込まれた空気により膨らむ風船等の膨張体を使用しても良い。そして、挿入体が移動した後に、固定工程を経れば良い。
【００９３】
実施例２では、固定工程として、第１固定ピン１４２が、新設柱２０の第１貫通孔２０ｂと第１固定孔１４１を貫通し、第２固定ピン１５２が、梁１３に加工された第２貫通孔１１３ｂと第２固定孔１５１とを貫通する例を示した。しかし、固定工程としては、第１固定ピン及び第２固定ピンが、新設柱と挿入体を貫通するようにしても良い。
【００９４】
実施例１〜３では、木材の接合部品、木材の接合構造、及び木材の接合方法を、新設柱２０を既存の土台１１及び既存の梁１３に接合する例を示した。しかし、木材の接合部品、木材の接合構造、及び木材の接合方法としては、新設の梁を既存の柱に接合する例に適用することもできる。
【００９５】
実施例１〜３では、木材の接合部品、木材の接合構造、及び木材の接合方法を、木造建築物の１階の柱に適用する例を示した。しかし、木材の接合部品、木材の接合構造、及び木材の接合方法としては、木造建築物の２階以上の柱に適用することができる。
【符号の説明】
【００９６】
１        木造建築物
１１      土台（木材の一例）
１３      梁（木材の一例）
１３ａ    挿入穴（穴部の一例）
２０      新設柱（木材の一例）
２０ａ    収容穴（穴部の一例）
３０      接合部品
３１      挿入体
３８      移動手段
１４１    第１固定孔（第１固定手段の一例）
１４２    第１固定ピン（第１固定手段の一例）
１５１    第２固定孔（第２固定手段１５０の一例）
１５２    第２固定ピン（第２固定手段１５０の一例）
【図１】
2019035192.tif 000003
【図２】
2019035192.tif 000004
【図３】
2019035192.tif 000005
【図４】
2019035192.tif 000006
【図５】
2019035192.tif 000007
【図６】
2019035192.tif 000008
【図７】
2019035192.tif 000009
【図８】
2019035192.tif 000010
【図９】
2019035192.tif 000011
【図１０】
2019035192.tif 000012
【図１１】
2019035192.tif 000013
【図１２】
2019035192.tif 000014
【図１３】
2019035192.tif 000015
【図１４】
2019035192.tif 000016
【図１５】
2019035192.tif 000017
【図１６】
2019035192.tif 000018